(57)【要約】【課題】足場なしで建築作業中の建物であっても、建物の外側に落下防止ネットを取り付けられる落下防止ネット装置を提供する。【解決手段】建物２の鉄骨柱４に仮固定手段１６によりアーム１８を仮固定し、このアーム１８に沿って設けられた第１の係止具３６と、梁の外側８に沿って設けられた第２の係止具３８とに落下防止ネット１２を係止する。アーム１８は、略水平に突出されるアーム部材２０と、このアーム部材２０の基部２２に固定され前記鉄骨柱４の表面に沿って下方に配置される上下部材２４と、この上下部材２４の下端と前記アーム部材２０の先端との間に配置される傾斜部材２６と、を有する。仮固定手段１６は、アーム１８の基部２２から水平方向に伸び前記鉄骨柱４に巻き付けられるベルト３０を有する。また、ベルト３０にはこの鉄骨柱４の角部に当接する部位にＬ字状の磁石３４が設けられる。【選択図】図１
2004232351.tif 000002
【特許請求の範囲】
【請求項１】
柱と梁を有して構成される建物の外側に落下防止ネットを取り付けるための装置において、柱に仮固定され建物の外側に突出されるアームと、この仮固定を行う仮固定手段と、前記アームに沿って設けられた第１の係止具と、前記梁の外側に沿って設けられた第２の係止具と、これら係止具に係止される落下防止ネットと、を有することを特徴とする落下防止ネット装置。
【請求項２】
前記アームは、略水平に突出されるアーム部材と、このアーム部材の基部に固定され前記柱の表面に沿って下方に配置される上下部材と、この上下部材の下端と前記アーム部材の先端との間に配置される傾斜部材と、を有してなり、前記仮固定手段は、前記アームの基部から水平方向に伸び前記柱に巻き付けられるベルトを有してなることを特徴とする請求項１に記載の落下防止ネット装置。
【請求項３】
前記柱は鉄骨柱であり、前記ベルトにはこの鉄骨柱の角部に当接する部位にＬ字状の磁石が設けられていることを特徴とする請求項２に記載の落下防止ネット装置。
【発明の詳細な説明】
【０００１】
【発明の属する技術分野】
この発明は、建物の建築作業中などに物や人が落下するのを防止する落下防止ネットを建物の外側に取り付けるための装置に関する。
【０００２】
【従来の技術】
柱と梁を有して構成される建物の建築作業中には、作業員は露出した梁の上を移動しながら作業を行う。この作業中に物や作業員が落下するのを防止するため、落下防止ネットを建物に取り付ける。この落下防止ネットは、建物の内側に取り付けられるもの（特開平１０−０８２１８６参照）が実際にはほとんどであり、建物の外側に取り付けられるもの（特開平２００１−３２９６９５、特開平０７−３１０４３７参照）は、建物の外側に設けられパイプ部材からなる足場に取り付けられる。
【０００３】
【発明が解決しようとする課題】
しかしながら、建物によっては足場を全く設けずに梁の上で作業をする場合も多い。また、途中から設ける場合も、それまでは足場なしで梁の上で作業しなければならない。これらの場合に、建物の内側に落下防止ネットを設けても、建物の外側への落下は防止できないものであった。
【０００４】
この発明は、以上の課題を解決するためになされたもので、足場なしで建築作業中の建物であっても、建物の外側に落下防止ネットを取り付けられる落下防止ネット装置を提供することを目的とする。
【０００５】
【課題を解決するための手段】
本発明は上記目的を達成するため、第１の発明は、柱と梁を有して構成される建物の外側に落下防止ネットを取り付けるための装置において、柱に仮固定され建物の外側に突出されるアームと、この仮固定を行う仮固定手段と、前記アームに沿って設けられた第１の係止具と、前記梁の外側に沿って設けられた第２の係止具と、これら係止具に係止される落下防止ネットと、を有することを特徴とする落下防止ネット装置である。
【０００６】
第２の発明は、前記アームは、略水平に突出されるアーム部材と、このアーム部材の基部に固定され前記柱の表面に沿って下方に配置される上下部材と、この上下部材の下端と前記アーム部材の先端との間に配置される傾斜部材と、を有してなり、前記仮固定手段は、前記アームの基部から水平方向に伸び前記柱に巻き付けられるベルトを有してなることを特徴とする落下防止ネット装置である。
【０００７】
第３の発明は、前記柱は鉄骨柱であり、前記ベルトにはこの鉄骨柱の角部に当接する部位にＬ字状の磁石が設けられていることを特徴とする落下防止ネット装置である。
【０００８】
【発明の実施の形態】
この発明の一実施の形態を、図１〜図５に示す。
図１に示すように、この建築中の建物２は、矩形断面を有する鉄骨柱４と、この鉄骨柱４に結合されＩ型断面を有する鉄骨梁６によって構成される。図中、右側が建物２の外側８になり、左側が建物２の内側１０になる。この外側８に落下防止ネット１２を取り付けるために、この実施形態の装置１４が用いられる。
【０００９】
すなわち、建物２の鉄骨柱４に仮固定手段１６によりアーム１８を仮固定する。このアーム１８は、略水平に突出され下向きのコの字断面（図４参照）のアーム部材２０を有する。また、アーム部材２０の先端は上方に向かってＬ字状に突出している。このアーム部材２０に沿って両側には、長手方向に等間隔で複数箇所に第１の係止具３６が設けられる。第一の係止金具はＪ型の形状をした金具で、アーム部材２０に溶接される。
【００１０】
このアーム部材２０の基部２２には、鉄骨柱４の表面に沿って下方に配置される板状の上下部材２４が固定される。この上下部材２４の下端とアーム部材２０の先端との間に傾斜部材２６が補強部材として配置される。
【００１１】
仮固定手段１６は、アーム１８の基部２２と上下部材２４との固定部分２８からベルト３０が、左右に水平方向に伸び、鉄骨柱４に巻き付けられる。このベルト３０には、締付部３２が設けられ、ベルト３０を締め付けて緩まないようにする。また、ベルト３０にはこの鉄骨柱４の角部に当接する部位に、Ｌ字状の磁石３４が設けられ、角部とこのＬ字状とが嵌合する。巻き付けは必要に応じて何回か行われる。
【００１２】
鉄骨梁６の建物外側に沿って、鉄骨梁６の長手方向に等間隔で複数箇所に第２の係止具３８が設けられる。第２の係止具３８は、図５に示すように、コの字断面形状を有する嵌合部４０が、鉄骨梁６のＩ型断面の下側の水平フランジ４２の縁部に嵌合する。この嵌合部４０の上面には、ハンドル４４つきのボルト４６が螺合して貫通し、貫通した先端が水平フランジ４２の表面に当接される。嵌合部４０のコの字の背部４８には、Ｊ型の形状をした金具５０が溶接される。
【００１３】
複数設けられる第１および第２の係止具３６，３８のＪ型の金具５０に、落下防止ネット１２の縁が係止されて取り付けられる。
【００１４】
（実施形態の作用効果）
以上の実施形態によれば、建物２の鉄骨柱４に仮固されたアーム１８のに設けられた第１の係止具３６と、鉄骨梁６に設けられた第２の係止具３８とに落下防止ネット１２を係止することで、足場なしでも、建物２の外側８に落下防止ネット１２を取り付けられる。また、アーム部材２０の上方に向かってＬ字状に突出する先端にも係止金具３６は設けられるので、この係止金具３６に落下防止ネット１２の縁部を係止することで、落下防止ネット１２の外側の縁は、上方に向かってＬ字状に突出した状態で取り付けられる。よって、落下物が、この落下防止ネット１２の突出した縁部にひっかかることが期待でき、さらに落下防止ネット１２の外側へ落下することを防止できる。
【００１５】
また、アーム１８はアーム部材２０、上下部材２４、傾斜部材２６により簡単な構造を有し、装置１４のコストを抑えられる。
また、アーム１８は駆り固定手段のベルト３０により鉄骨柱４に固定されるので、溶接などのように鉄骨柱４を傷つけずに固定できる。
【００１６】
また、仮固定手段１６の磁石３４が鉄骨柱４に吸着しベルト３０の位置決めが簡単で、巻き付け作業が容易になる。また、ベルト３０が鉄骨柱４の角部に擦られて磨耗することを抑止できる。
また、アーム１８の構造から、落下防止ネット１２を介してアーム１８にかかる力は、ベルト３０を鉄骨柱４の表面から直角に引き剥がそうとする力になるので、ベルト３０を同表面に沿って移動させるなどの力に比べ、大きな力に耐えられる。
【００１７】
（他の実施形態）
以上の実施形態では、たとえば建物２の南側の外側８と、東側の外側８というように、二つの外側８が交差する場所において、アーム１８は建物２の角部、すなわち鉄骨柱４の部分で２本設けられるものであった（図１、図２、図３（Ａ））であったが、他の実施形態では図６に示すように１本とすることも出来る。すなわち、アーム１８を構成する上下部材２４をＬ字状断面として、このＬ字状の部分を鉄骨柱４の角部に当接し、アーム部材２０を鉄骨柱４の対角線と略同じ向きに略４５度の方向に突出させる。これにより、１本のアーム部材２０の両側に設けられた第１の係止具３６のうち、一方の側にたとえば南側の落下防止ネット１２を係止し、他方の側に東側の落下防止ネット１２を係止することが出来る。
【００１８】
【発明の効果】
以上説明したように、第一の発明によれば、建物の柱に仮固定手段によりアームを仮固定し、このアームに沿って設けられた第１の係止具と、梁に沿って設けられた第２の係止具とに落下防止ネットを係止することで、足場なしで建築作業中の建物であっても、建物の外側に落下防止ネットを取り付けられる。
【００１９】
また、第二の発明によれば、さらに、アームはアーム部材、上下部材、傾斜部材により簡単な構造を有し、装置のコストを抑えられ、また、ベルトにより柱に固定されるので、柱を傷つけずに固定できる。
【００２０】
また、第三の発明によれば、さらに、アームの固定において、磁石が鉄骨柱に吸着しベルトの巻き付け作業が容易になる。また、ベルトが鉄骨柱の角部に擦られて磨耗することを抑止できる。
【図面の簡単な説明】
【図１】この発明の一実施形態を示す装置の斜視図である。
【図２】図１の平面図である。
【図３】（Ａ）は図２の要部を示す平面図
（Ｂ）は（Ａ）の側面図である。
【図４】図３（Ｂ）の１本のアームを示す正面図である。
【図５】図１の第１の係止具を示す拡大側面図である。
【図６】この発明の他の実施形態を示す装置の平面図である。
【符号の説明】
２…建物、
４…鉄骨柱、
６…鉄骨梁、
８…外側、
１０…内側、
１２…落下防止ネット、
１４…装置、
１６…仮固定手段、
１８…アーム、
２０…アーム部材、
２２…基部、
２４…上下部材、
２６…傾斜部材、
２８…固定部分、
３０…ベルト、
３２…締付部、
３４…磁石、
３６…第１の係止具、
３８…第２の係止具、
４０…嵌合部、
４２…水平フランジ、
４４…ハンドル、
４６…ボルト、
４８…背部、
５０…金具。
【図１】
2004232351.tif 000003
【図２】
2004232351.tif 000004
【図３】
2004232351.tif 000005
【図４】
2004232351.tif 000006
【図５】
2004232351.tif 000007
【図６】
2004232351.tif 000008